(57)【特許請求の範囲】
【請求項１】
特定周波数でウオッブリングされたトラックを有する記録媒体において、
前記トラックは、
読み取り可能な識別情報がプリフォーマットされるとともに、トラックの両辺がそれぞれ前記特定周波数における同一の位相でウオッブルされることにより形成される第１ウオッブリング領域と、
読み取り可能な識別情報以外の情報がプリフォーマットされるとともに、トラックの両辺がそれぞれ前記特定周波数における異なる位相でウオッブルされることにより形成されかつトラックの進行方向及び幅方向において前記第１ウオッブリング領域と交互に配置された第２ウオッブリング領域とからなり、
かつ、トラックの進行方向において隣接して位置する第１ウオッブリング領域と第２ウオッブリング領域とが１つの情報記録単位として構成されることを特徴とする記録媒体。
【請求項２】
前記第１ウオッブリング領域は、前記第２ウオッブリング領域と隣接したトラックに位置することを特徴とする請求項１記載の記録媒体。
【請求項３】
前記第２ウオッブリング領域は、前記第１ウオッブリング領域にプリフォーマットされた前記読み取り可能な識別情報により情報が記録されることを特徴とする請求項１記載の記録媒体。
【請求項４】
前記ウオッブルされたトラックは、ランドのトラックとそのランドのトラックに隣接するグルーブのトラックとからなることを特徴とする請求項１記載の記録媒体。
【請求項５】
前記記録媒体はディスク形状に形成され、ランドのトラックとグルーブのトラックとが、ディスクの内周から外周側に並んで形成されたことを特徴とする請求項４記載の記録媒体。
【請求項６】
前記記録媒体はディスク形状に形成され、ランドのトラックとグルーブのトラックとが一回転ごとに交番に形成されたことを特徴とする請求項４記載の記録媒体。
【請求項７】
前記ウオッブルされたトラックは、前記第１ウオッブリング領域と前記第２ウオッブリング領域との間にプリフォーマットされた同期パターンをさらに備えることを特徴とする請求項１記載の記録媒体。
【請求項８】
前記同期パターンは、
第２ウオッブリング領域の後端と第１ウオッブリング領域の先端との間に位置する第１同期パターンと、
第１ウオッブリング領域の後端と第２ウオッブリング領域の先端との間に位置する第２同期パターンと
を備えることを特徴とする請求項７記載の記録媒体。
【請求項９】
前記第１同期パターンと前記第２同期パターンとは、相互に補数関係にある論理値を有することを特徴とする請求項８記載の記録媒体。
【請求項１０】
前記第１同期パターンと前記第２同期パターンとは、前記ウオッブルされたトラックの幅方向で交互に配列されたことを特徴とする請求項８記載の記録媒体。
【請求項１１】
情報の記録／再生を行う装置であって、前記第１ウオッブリング領域にプリフォーマットされた識別情報を利用して、隣接した第２ウオッブリング領域に情報の記録／再生を行うことを特徴とする請求項１に記載の記録媒体へ情報を記録し、その記録媒体から情報を読み取る装置。
【発明の詳細な説明】
【０００１】
【発明が属する技術分野】
本発明は、ランドとグルーブのトラックを有する記録媒体及びその記録媒体に対して情報の記録／再生を行う装置に関するもので、特にランドとグルーブの全てに情報が記録されるようにした記録媒体及びその記録媒体に対して情報の記録／再生を行う装置に関する。
【０００２】
【従来の技術】
最近、ビデオ及びオーディオ情報等のような各種の情報を記録する記録媒体として、光記録媒体及び光磁気記録媒体等が開発され、実用に供されている。これらの中の光記録媒体には、既に一般化されたＣＤ、ＣＤ−ＲＯＭ及びＤＶＤ−ＲＯＭ等の再生専用ディスクと、ＣＤ−Ｒ及びＤＶＤ−Ｒ等の追記型タイプのディスクと、ＣＤ−ＲＷ及びＤＶＤ−ＲＡＭ等の書換可能なディスクが普及され、開発されている。
【０００３】
通常、記録できるディスクには所望の位置に情報を記録できるようにアドレス情報を含む識別（ＩＤ）情報が予め記録される。ＣＤ−Ｒ等の光ディスクには、図１のようにランドの信号トラック（１０）とグルーブの信号トラック（１２）とがある。さらに、アドレス情報等を含むＩＤ情報が、周波数変調されたキャリア信号に従ってグルーブの信号トラック（１２）がウオッブルされてプリフォーマットされている。このように、ウオッブルされたグルーブの信号トラック（１２）からピックアップされるウオッブリング信号によりアドレス情報が読み取られ、そのアドレス情報に基づいてディスク上の所望位置に情報が記録される。しかし、このような方式のディスクでは、情報がグルーブの信号トラック（１２）のみに制限されるので、情報の記録容量が制限される。
【０００４】
また、ランドとグルーブの信号トラックの両方に情報が記録されるディスクとして、図２の図示のようなディスク（例えば、ＤＶＤ−ＲＡＭ）が知られている。このディスクは、アドレス情報等を含むＩＤ情報が２列（１４）の形態に記録されたヘッダーフィールドと同位相にウオッブリングされたランドとグルーブの信号トラック等（１０、１２）からなる記録フィールドを含んでいる。このような方式のディスクでは、ヘッダーフィールドに情報が記録され得ないので、記録容量が制限されるようになる。
【０００５】
【発明が解決しようとする課題】
以上の如く、従来の記録媒体は記録可能な領域に記録され得る情報量を減少させている。
従って、本発明の目的は記録可能な情報量を増加させることができる記録媒体を提供することにある。
本発明の他の目的は、ランドとグルーブの信号トラックの両方に記録される情報量を極大化させることができる記録媒体を提供することにある。
本発明の他の目的は、記録媒体に対して情報の記録／再生を遂行することができる情報記録／再生装置を提供することにある。
【０００６】
【課題を解決するための手段】
上述した目的を達成するために、本発明による記録媒体には、特定周波数でウオッブルされたトラックが含まれる。このトラックは読み取り可能な識別情報がプリフォーマットされた第１ウオッブリング領域と、読み取られることのない識別情報がプリフォーマットされると共に、前記第１ウオッブリング領域と交互に配置される第２ウオッブリング領域を備えることを特徴とする。
本発明による情報記録／再生装置は、記録媒体の第１ウオッブリング領域にプリフォーマットされた識別情報を用いて、隣接した第２ウオッブリング領域に情報の記録／再生を行う。
【０００７】
【作用】
前記の構成により、本発明の記録媒体では、第１ウオッブリング領域である同位相ウオッブリング領域のＩＤ情報により、情報がその同位相ウオッブリング領域と第２ウオッブリング領域である異位相ウオッブリング領域に記録されることによって、領域の消耗なくランドとグルーブの信号トラックの両方に情報を記録することができる。これによって、本発明による記録媒体の記録容量が極大化されるようになる。ひいては、本発明による記録媒体は、同期パターンがプリフォーマットされたプリ及びポストウオッブリング領域を追加的に備えることによって、迅速であり正確にアクセスされるようになる。
【０００８】
【発明の実施の形態】
図３を参照すると、ランドとグルーブの信号トラック（２０、２２）が形成された本発明の実施形態による光ディスクを図示する。これらのランドの信号トラック（２０）とグルーブの信号トラック（２２）は、図４に示すように平行に並んで対として、光ディスクの最内周から最外周まで螺旋形の形態に平行に形成されるか、または図５の図示のように、それぞれ独立に一つの螺旋形の信号トラックを成すように、最内周から最外周まで１回転毎に互いに交互に配列される。
【０００９】
ランドとグルーブの信号トラック（２０、２２）のそれぞれは、第１ウオッブリング領域である同位相にウオッブルされた同位相ウオッブリング領域（２４Ａ）と第２ウオッブリング領域である互いに逆位相にウオッブルされた異位相ウオッブリング領域（２４Ｂ）とが所定区間毎に信号トラック（２０、２２）の幅方向で交互に配置されている。斜線で表示された同位相ウオッブリング領域（２４Ａ）は、両辺にアドレス情報等を含むＩＤ情報がプリフォーマットされた領域であって、ＩＤ情報が周波数変調されたキャリア信号によって両辺がウオッブリングされている。このような同位相ウオッブリング領域（２４Ａ）が信号トラック（２０、２２）の進行方法と幅方向で異位相ウオッブリング領域（２４Ｂ）と交互に配列される。異位相ウオッブリング領域等（２４Ｂ）の両辺は他の位相にウオッブルされている。同位相ウオッブリング領域（２４Ａ）のウオッブリング信号からアドレス情報が得られる。例えば、図３のように、同位相ウオッブリング領域（２４Ａ）と異位相ウオッブリング領域（２４Ｂ）を一つの情報記録単位（すなわち、フレーム）として利用する場合、異位相ウオッブリング領域（２４Ｂ）の前または後に位置する同位相ウオッブリング領域（２４Ａ）からアドレス情報が読み取られ、その読み取られたアドレス情報に基づいて使用者情報が情報記録単位に記録することができる。従って、このような方式の記録媒体には、ランドの信号トラック（２０）とグルーブの信号トラック（２２）の両方に情報が記録され、記録可能な領域の全てが活用される。
【００１０】
図４は、図３のランドとグルーブの信号トラック（２０、２２）が最内周から最外周まで並んで形成されたディスクを図示している。直径方向でみると、同位相ウオッブリング領域（２４Ａ）は、ランドの信号トラック（２０）またはグルーブの信号トラック（２２）のいずれかのみに、そして異位相ウオッブリング領域（２４Ｂ）は、グルーブの信号トラック（２２）またはランドの信号トラック（２０）のいずれかのみにそれぞれ位置している。すなわち、同位相ウオッブリング領域（２４Ａ）と異位相ウオッブリング領域（２４Ｂ）は、円周方向と直径方向の両方で交互に現れる。また、一回転分のランドとグルーブの信号トラック等（２０、２２）のそれぞれには、ｊ個の同位相ウオッブリング領域（２４Ａ）とｊ個の異位相ウオッブリング領域（２４Ｂ）が交互に現れる。また、一回転のランドとグルーブの信号トラック等（２０、２２）のそれぞれには、ｊ個の同位相ウオッブリング領域（２４Ａ）とｊ個の異位相ウオッブリング領域（２４Ｂ）が交互に配列され、一回転の信号トラック（２０、２２）がｊ個のフレームに分割される。ランドの信号トラック（２０）にプリフォーマットされた同位相ウオッブリング領域（２４Ａ）は、図６の図示のとおり順次的に増加するフレーム識別コード（ＰＩＤ）を有し、同様にグルーブの信号トラック（２２）にプリフォーマットされた同位相ウオッブリング領域（２４Ａ）も図示の通り順次的に増加するフレーム識別コード（ＰＩＤ）を有するようになる。
【００１１】
図５は、図３に図示されているアドレス情報を含むＩＤ情報がプリフォーマットされ、ランドの信号トラック（２０）とグルーブの信号トラック（２２）が一つの螺旋形態を成すように一回転づつ交互に配列された光ディスクを図示している。図５において、螺旋形の信号トラックは、ランド／グルーブの交差ラインを基準として、ランドの信号トラック（２０）からグルーブの信号トラック（２２）に、またはグルーブの信号トラック（２２）からランドの信号トラック（２０）に変更される。また、同位相及び異位相ウオッブリング領域（２４Ａ、２４Ｂ）は、ランドの信号トラック（２０）とグルーブの信号トラック（２２）のそれぞれで交番されるように配列されている。同位相ウオッブリング領域（２４Ａ）は、直径方向で見て、ランドの信号トラック（２０）かまたはグルーブの信号トラック（２２）のいずれかにのみに位置し、同様に異位相ウオッブリング領域（２４Ｂ）も直径方向では、グルーブの信号トラック（２２）またはランドの信号トラック（２０）のいずれかのみに位置している。すなわち、同位相ウオッブリング領域（２４Ａ）と異位相ウオッブリング領域（２４Ｂ）は、円周方向と直径方向の両方で交互に現れる。この場合、直径（すなわち、信号トラックの幅）方向で同位相ウオッブリング領域（２４Ａ）と異位相ウオッブリング領域（２４Ｂ）が交互に配置されるためには、一回転の信号トラック（４０、４２）に含まれる両領域（４４Ａ、４４Ｂ）の数が、内周側から外周側に行くほど１個ずつ増加しなければならない。例えば、二回転の信号トラック、すなわち一組のランドとグルーブの信号トラック（２０、２２）には、図７のように２ｍ＋１個の同位相ウオッブリング領域（２４Ａ）と２ｍ＋１個の異位相ウオッブリング領域（２４Ｂ）が存在する。すなわち、２ｍ＋１個のフレームが存在する。従って、一回転の信号トラック（２０、２２）には、前記の二領域の中のいずれか一領域がｍ＋１個だけそして他の領域はｍ個ほど存在する。図７の図示のように、二回転の信号トラック、すなわち一組の信号トラック（２０、２２）に７個のフレームがあると仮定すると、ｍは３となるので、同位相ウオッブリング領域（２４Ａ）と異位相ウオッブリング領域（２４Ｂ）がそれぞれ７個ずつ存在する。この場合、一回目の一回転の信号トラックであるランドの信号トラック（２０）には、同位相ウオッブリング領域（２４Ａ）が４（ｍ＋１）個、そして異位相ウオッブリング領域（２４Ｂ）が３（＝ｍ）が存在し、共に二回目一回転の信号トラックのグルーブの信号トラック（２２）には、同位相ウオッブリング領域（２４Ａ）が３（＝ｍ）個、そして異位相ウオッブリング領域（２４Ｂ）が４（ｍ＋１）個存在するようになる。
【００１２】
図８は、ランドとグルーブの信号トラック（３０、３２）が形成された本発明の他の実施形態によるディスクを図示する。図８のディスクは、上述の図３のディスクでのように、同位相ウオッブリング領域（３４Ａ）と異位相ウオッブリング領域（３４Ｂ）を有すると共に、これら領域（３４Ａ、３４Ｂ）のそれぞれの先端に同期パターンがプリフォーマットされたプリウオッブリング領域（３４Ｃ）及びポストウオッブリング領域（３４Ｄ）が追加されている。これらプリ及びポストウオッブリング領域等（３４Ｃ、３４Ｄ）は、ランドの信号トラック（３０）及びグルーブの信号トラック（３２）の両方で同一の形態に形成される。すなわち、プリ及びポストウオッブリング領域（３４Ｃ、３４Ｄ）は、ランドとグルーブの信号トラック（３０、３２）に関係なく同一の位相を有する。また、前記プリ及びポストウオッブリング領域（３４Ｃ、３４Ｄ）には、相互に異なる同期パターン、すなわち相互に補数関係を有する論理値がプリフォーマットされる。ランドの信号トラック（３０）とグルーブの信号トラック（３２）とが光学的に相互に相反された特性を有することと、プリ及びポストウオッブリング領域（３４Ｃ、３４Ｄ）が信号トラック（５０、５２）の幅方向で交互に配列されるので、外形的に同一な形態を有するプリ及びポストウオッブリング領域等（３４Ｃまたは３４Ｄ）のそれぞれから検出された信号等は、相互に相反された位相を有する。従って、図８において斜線で表示されたプリウオッブリング領域等（３４Ｃ）にプリフォーマットされた同期パターンは、同一な論理値を有し、ポストウオッブリング領域（３４Ｄ）にプリフォーマットされた同期パターンも同一の論理値を有する。そ例に対して、プリウオッブリング領域（３４Ｃ）にプリフォーマットされた同期パターンと、ポストウオッブリング領域（３４Ｄ）にプリフォーマットされた同期パターンは、相互に相反された論理値を有する。このようなプリウオッブリング領域（３４Ｃ）にプリフォーマットされた同期パターンと、ポストウオッブリング領域（３４Ｄ）にプリフォーマットされた同期パターンとは、同位相ウオッブリング領域（３４Ａ）と異位相ウオッブリング領域（３４Ｄ）との基準点等をそれぞれ指示する。
【００１３】
図９は、図８におけるプリウオッブリング領域（３４Ｃ）及びポストウオッブリング領域（３４Ｄ）そのそれぞれから検出された同期パターンを示している。プリ同期パターンは、プリウオッブリング領域（３４Ｃ）で、ポスト同期パターンは、ポストウオッブリング領域（３４Ｄ）からそれぞれ検出される。ＬＷＳは、ランドの信号トラック（３０）から検出されたウオッブリング信号であり、ＧＷＳはグルーブの信号トラック（３２）から検出されたウオッブリング信号である。これらウオッブリング信号（ＬＷＳ、ＧＷＳ）では、プリウオッブリング領域（３４Ｃ）から検出されるプリ同期成分とポストウオッブリング領域（３４Ｄ）から検出されるポスト同期成分が相互に相反された位相を有するということが分かる。これらプリ同期成分とポスト同期成分が復調されることによって“０００１０１１１”のプリ同期パターンと“１１１０１０００”のポスト同期パターンが得られるようになる。すなわち、隣接したランドとグルーブの信号トラック等（３０、３２）のそれぞれで補数関係の論理値をそれぞれ有するプリ同期パターンとポスト同期パターンとが検出される。このような同期パターンが信号トラック等（３０、３２）にプリフォーマットされることによって、ディスクが効果的にアクセスされる。
【００１４】
図１０は図１及び図３に図示された光ディスク等をアクセスするための通常の情報記録／再生装置を概略的に図示する。この情報記録／再生装置によって本発明の実施形態による光ディスクがアクセスされる過程を説明する。
【００１５】
図１０において、情報記録／再生装置には、光ディスク（４０）を回転させるスピンドルモーター（４２）と、光ディスク（４０）をアクセスするための光ピックアップ（４４）と、この光ピックアップ（４４）に直列接続された信号検出器（４６）が含まれている。光ピックアップ（４４）は、光ビームを光ディスク（４０）のランドまたはグルーブの信号トラック、すなわち図３に図示されたランドまたはグルーブの信号トラック（２０、２２）や、図８に図示されたランドまたはグルーブの信号トラック（３０または３２）に光ビームを照射することによって、ランドまたはグルーブの信号トラックに情報を記録するか、ランドまたはグルーブの信号トラックに記録された情報を読み取る。そのために、光ピックアップ（４４）にはレーザーダイオード（ＬＤ）からの光ビームを対物レンズ（ＯＬ）側に、そして対物レンズ（ＯＬ）からの光ビームを光検出器（ＰＤ）側にそれぞれ案内するビームスプリッター（ＢＳ）と、対物レンズ（ＯＬ）を上下左右に移動させてフォーカシング及びトラッキングを遂行するアクチュエータ（ＡＣ）が含まれる。対物レンズ（ＯＬ）は、ビームスプリッター（ＢＳ）から光ディスク（４０）に向かう光ビームを集光する。ビームスプリッター（ＢＳ）はレーザーダイオード（ＬＤ）からの光ビームが対物レンズ（ＯＬ）を経由して光ディスク（４０）のランドの信号トラックまたはグルーブの信号トラックに照射されるようにすると共に、光ディスク（４０）により反射された反射光ビームが光検出器（ＰＤ）側に進むようにする。アクチュエータ（ＡＣ）は、光ビームがランドまたはグルーブの信号トラックの表面にスポットの形態に照射されるように、対物レンズ（ＯＬ）を上下に移動させる。また、アクチュエータ（ＡＣ）は光ビームがランドまたはグルーブのトラックの中心線に沿って行くように対物レンズ（ＯＬ）を左右に移動させる。光検出器（ＰＤ）は、光ディスク（５０）から対物レンズ（ＯＬ）及びビームスプリッター（ＢＳ）を経由して入射される反射光量を電気的な信号に変換する。光検出器（ＰＤ）は、信号トラック（２０、２２）に照射された光分布が検出され得るように、図１１に示すように４個の光検出片（ＰＤａ〜ＰＤｄ）から構成される。これら４個の光検出片（ＰＤａ〜ＰＤｄ）は、信号トラックの進行方向を基準として２個ずつ対称的に位置している。すなわち、第１及び第４光検出片等（ＰＤａ、ＰＤｄ）が信号トラックの進行方向を基準として外周または内周側に位置し、第２及び第３光検出片等（ＰＤｂ、ＰＤｃ）は、内周または外周側に位置する。信号検出器（４６）は、光ピックアップ（４４）の光検出器（ＰＤ）からの第１〜第４電気的信号（Ｐａ〜Ｐｄ）に含まれたウオッブリング信号（Ｗ）、フォーカシングエラー信号（Ｆｅ）、トラッキングエラー信号（Ｔｅ）及び高周波信号（ＲＦ）を検出する。ここにおいて、ウオッブリング信号（Ｗ）、フォーカシングエラー信号（Ｆｅ）、トラッキングエラー信号（Ｔｅ）及び高周波信号（ＲＦ）は、第１〜第４電気的信号（Ｐａ〜Ｐｄ）が式１〜４のように演算されて得られる。
【００１６】
Ｗ＝（Ｐａ＋Ｐｄ）−（Ｐｂ＋Ｐｃ）                （１）
Ｆｅ＝（Ｐａ＋Ｐｃ）−（Ｐｂ＋Ｐｄ）                    （２）
Ｔｅ＝∫［（Ｐａ＋Ｐｄ）−（Ｐｂ＋Ｐｃ）］ｄｔ        （３）
ＲＦ＝Ｐａ＋Ｐｂ＋Ｐｃ＋Ｐｄ）                                      （４）
【００１７】
ウオッブリング信号（Ｗ）には、図３のような光ディスクが記録／再生される場合、ランドまたはグルーブの信号トラック（２０または２２）の両辺が同一な位相にウオッブリングされた領域から検出された同位相ウオッブリング成分と、ランドまたはグルーブの信号トラック（２０または２２）の両辺が異なる位相にウオッブリングされた領域から検出された異位相ウオッブリング成分とが含まれる。これとは異なって、図８のような光ディスクが記録／再生される場合、ウオッブリング信号（Ｗ）にはランドまたはグルーブの信号トラック（３０または３２）の両辺が同一の位相にウオッブリングされた領域から検出された同位相ウオッブリング成分と、ランドまたはグルーブの信号トラック（３０または３２）の両辺が異なる位相にウオッブリングされた領域から検出された異位相ウオッブリング成分、そしてランド及びグルーブの信号トラック（３０、３２）のそれぞれの両辺が同一の位相にウオッブリングされたプリ及びポスト領域（３４Ｃ、３４Ｄ）から検出されたプリ及びポストウオッブリング成分とが含まれる。
【００１８】
情報の記録／再生装置に含まれているフォーカシングサーボ（４８）は、信号検出器（４６）からのフォーカシングエラー信号（Ｆｅ）に応答して、アクチュエータ（ＡＣ）に供給される電圧または電流を調節することによって、アクチュエータ（ＡＣ）が対物レンズ（ＯＬ）を垂直方向に移動させる。対物レンズ（ＯＬ）が垂直方向に移動することにより、光ディスク（４０）のランドまたはグルーブの信号トラックには、スポット形態の光ビームが照射される。それと同様に、トラッキングサーボ（５０）も信号検出器（４６）からのトラッキングエラー信号（Ｔｅ）に応答して、アクチュエータ（ＡＣ）に供給される電圧または電流を調節することによって、対物レンズ（ＯＬ）がアクチュエータ（ＡＣ）により水平方向に流動される。このように対物レンズ（ＯＬ）が水平方向で移動することにより、光ディスク（４０）に照射される光ビームはランドまたはグルーブの信号トラックに沿って行く。
【００１９】
また、情報記録／再生装置には、信号検出器（４６）から高周波信号（ｒｆ）を入力する再生情報処理器（５２）と、信号検出器（４６）からウオッブリング信号（Ｗ）を入力する記録クロック／識別コード検出器（５４）が含まれている。再生情報処理器（５２）は、高周波信号（ＲＦ）からチャネルビットストリームを検出し、そのチャネルビットストリームをディコーディングすることによって、光ディスク（４０）のグルーブまたはランドの信号トラック、即ち図３に図示されたランドまたはグルーブの信号トラック（２０、２２）や、図８におけるランドまたはグルーブの信号トラック（３０、３２）に記録された情報を再生する。この再生情報処理器（５２）により再生された情報は、出力ライン側に出力される。一方、記録クロック／識別コード検出器（５４）は、ウオッブリング信号（Ｗ）から記録クロック（ＳＣＬＫ）、フレームの物理的な位置を表すアドレス等が含まれた識別コード（ＩＤ）、そして光ディスク（４０）の回転速度を表す回転速度情報を検出する。図３の図示のとおり、同位相及び異位相ウオッブリング領域（２４Ａ、２４Ｂ）が形成された光ディスク（４０）が記録／再生されるか、図８でのように同位相、異位相、プリ及びポストウオッブリング領域等（３４Ａ、３４Ｂ、３４Ｃ、３４Ｄ）が形成された光ディスク（４０）が記録／再生される場合に、記録クロック／識別コード検出器（５４）は、ウオッブリング信号（Ｗ）に含まれた同位相ウオッブリング成分から記録クロック（ＳＣＬＫ）、識別コード（ＩＤ）及び回転速度情報を検出し、併せてプリ及びポストウオッブリング成分からプリ及びポスト同期パターンを検出する。それとは異なって、異位相ウオッブリング成分が入力される場合は、記録クロック／識別コード検出器（５４）は、エラーが発生したものと処理する。一方、記録情報処理器（５６）は、入力ライン（４３）から入力される記録情報をフレームの大きさにブロック化し、そのブロック化された情報のそれぞれに記録クロック／識別コード検出器（５４）からの識別コード（ＩＤ）を付加することによってチャネルビットストリームを生成させる。それと共に、記録情報処理器（５６）は、記録クロック／識別コード検出器（５４）から記録クロック（ＳＣＬＫ）に合わせて、チャネルビットストリームを光制御器（５８）に転送する。光制御器（５８）は、記録情報処理器（５６）からのチャネルビットストリームの論理値によってレーザーダイオード（ＬＤ）から発生される光ビームを制御することにより、チャネルビットストリームが光ディスク（４０）の信号トラック、すなわち図３におけるランドまたはグルーブの信号トラック（２０または２２）や図８におけるランドまたはグルーブの信号トラック（３０または３２）に記録される。
【００２０】
情報記録／再生装置は、記録クロック／識別コード検出器（５４）とスピンドルモーター（５２）の間に直列接続された回転制御信号発生器（６０）及びモーター駆動器（６２）と、記録／再生動作を制御するための制御器（６４）を備えている。回転制御信号発生器（６０）は、記録クロック／識別コード検出器（５４）からの回転速度情報から回転速度エラー量を検出し、その検出された回転速度エラー量によってモーター駆動部（６２）に供給されている回転制御信号の電圧レベルまたは電流量を調節する。それにより、モーター駆動器（６２）は、回転速度信号発生器（６０）からの回転速度信号の電圧レベルまたは電流量によってスピンドルモーター（４２）の回転速度を加速または減速する。このようにスピンドルモーター（４２）の回転速度が加速または減速されることにより、光ディスク（４０）上の信号トラックの走行速度が一定に維持される。制御部（６４）は、フォーカシングサーボ（４８）、トラッキングサーボ（５０）の動作状態を制御する。また、制御部（６４）は、記録／再生モードによって記録情報処理器（５６）と再生情報処理器（５２）とを選択的に動作させると共に、記録／再生モードによって光制御器（５８）を制御して、レーザーダイオード（ＬＤ）から発生される光ビームを強さを調節する。
【００２１】
図３のように同位相ウオッブリング領域（２４Ａ）と異位相ウオッブリング領域（２４Ｂ）がグルーブとランドの信号トラック（２０、２２）上に設けられたディスク、または図８のように同位相ウオッブリング領域（３０Ａ）、異位相ウオッブリング領域（３０Ｂ）、プリウオッブリング領域（３４Ｃ）及びポストウオッブリング領域（３４Ｄ）がランドとグルーブの信号トラック（３０、３２）上に設けられたディスクがアクセスされる場合、情報記録／再生装置は、ウオッブリング信号（Ｗ）の中の同位相成分から識別コード、記録クロック及び回転速度情報等を検出すると共に、異位相ウオッブリング成分でエラーを処理する。情報記録／再生装置は、同位相ウオッブリング領域（２４Ａ、３４Ａ）から検出されるＩＤ情報を利用して、図３及び図８のようなディスクの同位相ウオッブリング領域（２４Ａ、３４Ａ）及び異位相ウオッブリング領域（２４Ｂ、３４Ｂ）の全てに情報を記録する。図９でのように、同位相ウオッブリング領域（３０Ａ）、異位相ウオッブリング領域（３０Ｂ）、プリウオッブリング領域（３４Ｃ）及びポストウオッブリング領域（３４Ｄ）とが、ランドとグルーブの信号トラック（３０、３２）上に備えられたディスクがアクセスされる場合、情報記録／再生装置はプリ及びポストウオッブリング領域等（３４Ｃ、３４Ｄ）から検出される同期パターンに依存して、情報の記録／再生動作を迅速、かつ正確に遂行する。結果的に、図３及び図８の図示のとおり、ランドとグルーブの信号トラックでウオッブルされた光ディスクが、通常の情報記録／再生装置によりアクセスされる。したがって、図３及び図８の図示の如くランドとグルーブの信号トラックがウオッブルされた光ディスクは、図１及び図３の図示の通り既存の光ディスク等と互換的に使用されるようになる。
【００２２】
【発明の効果】
上述の如く、本発明による記録媒体では、ランドとグルーブの信号トラックの全てに、同位相ウオッブリング領域と異位相ウオッブリング領域信号とが交互に配列されると共に、同位相ウオッブリング領域にアドレス情報等のＩＤ情報がプリフォーマットされる。かかる記録媒体では、同位相ウオッブリング領域上のＩＤ情報によって、情報が同位相ウオッブリング領域及び異位相ウオッブリング領域に記録されることによって、領域の無駄なくランドとグルーブの信号トラックの全てに情報が記録される。これによって、本発明により記録媒体の記録容量が極大化される。
また、本発明による記録媒体は、同期パターンがプリフォーマットされたプリ及びポストウオッブリング領域等が追加で備えられることによって、迅速であり正確にアクセスされるようになる。
以上において説明した内容を通して、当業者であれば本発明に技術思想から逸脱しない範囲で多様な変更及び修正が可能であることが分かる。
その一例として、本発明の記録媒体は、実施形態では光ディスクに制限されたが、通常の知識を有する当業者であれば本発明の記録媒体の趣旨を変更及び修正することなく光磁気ディスクにも適用され得ることが分かる。従って、本発明の技術的範囲は、明細書の詳細な説明に記載された内容に限定されるものでなく、特許請求の範囲によって定めなければならない。
【図面の簡単な説明】
【図１】ＣＤ−Ｒディスクの信号トラック構造を概略的に図示する図面である。
【図２】ＤＶＤ−ＲＡＭディスクの信号トラック構造を概略的に図示する図面である。
【図３】本発明の実施形態による光ディスクの信号トラック構造を概略的に図示する図面である。
【図４】本発明の実施形態による２螺旋トラック片の光ディスクを概略的に図示する図面である。
【図５】本発明の実施形態による１螺旋トラック片の光ディスクを概略的に図示する図面である。
【図６】図４に図示された光ディスクの信号トラックにプリフォーマットされたフレームＩＤの変化状態を説明する図面である。
【図７】図５に図示された光ディスクの信号トラックにプリフォーマットされたフレームＩＤの変化状態を説明する図面である。
【図８】本発明の実施形態による光ディスクの信号トラック構造を概略的に図示する図面である。
【図９】図８の信号トラック構造を有する光ディスクから検出されたウオッブリング信号とそのウオッブリング信号が復号された同期パターン等と識別コードを図示する図面である。
【図１０】図１及び図２の信号トラック構造を有する光ディスクをアクセスするための通常の情報記録／再生装置を概略的に図示する図面である。
【図１１】図１０に図示された光検出器を詳細に図示する図面である。
【符号の説明】
１０、２０、３０：ランドの信号トラック
１２、２２、３２：グルーブの信号トラック
１４：ピット列
２４Ａ、３４Ａ：同位相ウオッブリング領域
２４Ｂ、３４Ｂ：異位相ウオッブリング領域
３４Ｃ：プリウオッブリング領域
３４Ｄ：ポストウオッブリング領域
【図１】
0003585737.tif 000002
【図２】
0003585737.tif 000003
【図３】
0003585737.tif 000004
【図４】
0003585737.tif 000005
【図５】
0003585737.tif 000006
【図６】
0003585737.tif 000007
【図７】
0003585737.tif 000008
【図８】
0003585737.tif 000009
【図９】
0003585737.tif 000010
【図１０】
0003585737.tif 000011
【図１１】
0003585737.tif 000012